(57)【特許請求の範囲】
【請求項１】
コンクリートブロック壁の上に取り付けられるフェンスの支柱をコンクリートブロック壁に垂直に支持させるフェンス用支柱の支持構造において、
上記コンクリートブロックの内部に上方に開口する空間部を形成し、この空間部の互いに対向する内壁面に縦溝を形成し、上記縦溝に嵌合する羽根と、上記フェンス用支柱の嵌合部とを一体に備えた冶具を上記空間部に配置するとともに、上記嵌合部に上記フェンス用支柱を嵌合させて支持するものであって、上記縦溝は、上記対向内壁面に互いに向き合う位置に上記コンクリートブロックの長手方向に沿って複数条形成されていることを特徴とするフェンス用支柱の支持構造。
【請求項２】
上記冶具には、上記コンクリートブロックの上端面に当接するストッパを形成したことを特徴とする、請求項１に記載のフェンス用支柱の支持構造。
【請求項３】
上記嵌合用筒と上記フェンス用支柱とには、この支柱の高さ位置を決めるための係合手段が形成されたことを特徴とする、請求項１又は２に記載のフェンス用支柱の支持構造。
【発明の詳細な説明】
【技術分野】
【０００１】
本発明は、隣地との境界などに使用されるフェンスに関し、特にコンクリートブロック壁上に設置されるフェンスの支柱の支持構造に関する。
【背景技術】
【０００２】
コンクリートブロック（以下単に「ブロック」と記す）や地面の上に設置される網状構造のフェンスをメッシュフェンスといい、開放的な外観と頑丈な構造のため需要があり多くの施工例がある。
【０００３】
従来のメッシュフェンスの施工は、まず基礎均しコンクリートを打設し、その上に基礎コンクリートを打設し、さらにその上に、図５（ａ）に示すように、ブロック１ａ、１ｂを組み積みしてコンクリートブロック壁２０を施工する。次に、コンクリートブロック壁２０に支柱１５を立てるが、そのために同図（ｂ）に示すように、ブロックの孔２１に支柱１５を挿入し、支柱１５を鉄筋等の支持部材２２によって仮止めし、さらにブロックの孔２１にモルタルを充填し、モルタルの天端２３を均し、モルタルが乾燥して硬化した後、支柱１５にフェンスパネル２４を張るという工程で行われていた。
【発明の開示】
【発明が解決しようとする課題】
【０００４】
しかし、フェンス用支柱は、上述のように所定の位置、高さに垂直に立てなければならず、そのために仮止め、モルタル充填、乾燥硬化等のプロセスを経なければならないので手間が掛かり、また工期が長くなってしまうという問題があった。
【０００５】
本発明は上記問題点を解決し、フェンス専用のブロックと治具を使用することにより、施工が容易で、工期の短縮を可能とするフェンス用支柱の支持構造を提供することをその課題とする。
【課題を解決するための手段】
【０００６】
上記課題を解決するために、請求項１に係る発明は、コンクリートブロック壁の上に取り付けられるフェンスの支柱をブロックに垂直に立てるフェンス用支柱の支持構造において、上記コンクリートブロックの内部に上方に開口する空間部を形成し、この空間部の互いに対向する内壁面に縦溝を形成し、上記縦溝に嵌合する羽根と、上記フェンス用支柱の嵌合部とを一体に備えた冶具を上記空間部に配置するとともに、上記嵌合部に上記フェンス用支柱を嵌合させて支持するものであって、上記縦溝は、上記対向内壁面に互いに向き合う位置に上記コンクリートブロックの長手方向に沿って複数条形成されていることを特徴とする。
【０００７】
請求項２に係る発明は、請求項１において、上記冶具には、上記コンクリートブロックの上端面に当接するストッパを形成したことを特徴とする。
【０００８】
請求項３に係る発明は、請求項１又は２において、上記嵌合用筒と上記フェンス用支柱とには、この支柱の高さ位置を決めるための係合手段が形成されたことを特徴とする。
【発明の効果】
【０００９】
請求項１に係る発明によれば、コンクリートブロックの空間部の対向内壁面に形成された縦溝に嵌合する羽根とフェンス用支柱の嵌合部を一体に備えた冶具を上記空間部に配置するとともに、上記嵌合部にフェンス用支柱を嵌合させて支持するものであるから、治具はコンクリートブロックに支持され、支柱は治具に支持されることになる。このように、支柱を支持するのに鉄筋等の支持部材やモルタルの充填、硬化を必要としない。したがって、支柱にフェンスパネルを取り付ける作業を容易に行なうことができるから、施工が容易であり、工期の短縮を図ることができる。
【００１０】
また、上記冶具をコンクリートブロックの適宜の縦溝を選択して支持させることができるので、上記冶具および支柱の位置を容易に調整することができる。
【００１１】
請求項２に係る発明によれば、さらに、上記羽根を上記ブロックの縦溝に嵌合させ、ストッパをコンクリートブロックの上端面に当接させることで、上記冶具をブロックの所定の高さに容易に設置することができる。
【００１２】
請求項３に係る発明によれば、さらに、上記冶具とフェンス用支柱との係合手段を係合させることにより、容易にフェンス用支柱を所定の高さに位置決めすることができる。
【発明を実施するための最良の形態】
【００１３】
以下に、本発明に係るフェンス用支柱の支持構造の実施形態について具体的に説明する。
【００１４】
図１（ａ）（ｂ）はコンクリートブロック（以下単にブロックと記す）の斜視図であり、同図（ａ）に示すブロック１ａは基本ブロックであり、同図（ｂ）に示すブロック１ｂは端部に配置される端部ブロックである。
【００１５】
基本ブロック１ａは両側の側壁２の中間部を２つの連結壁３で連結したもので、両端と中央には空間部４が形成されている。そして、空間部４の左右に対向する内壁面には縦溝５が形成されている。中央の空間部４には左右各１個の縦溝５が、両端の空間部４には左右各３個の平行な縦溝５が互いに対向形成されている。
【００１６】
また、上記両側壁２の上部の内側端面には段差６が形成されている。
【００１７】
次に、端部ブロック１ｂは図１（ｂ）に示されるように、両側の側壁２の中間部と一端部とを２つの連結壁３、３ａで連結したもので、他端側と中央には空間部４が形成されている。そして、空間部４の左右に対向する内壁面には縦溝５が形成されている。中央の空間部４には左右各１個の縦溝５が、端部連結壁３ａ側の空間部４には２個の平行な縦溝５が、また上記他端側の空間部４には、左右各３個の平行な縦溝５が互いに対向形成されている。
【００１８】
なお、上記縦溝５は、側壁２の強度を損なわない程度の深さ（たとえば７ｍｍ）で、幅は数ｍｍ程度（例えば７ｍｍ）が好ましい。なお、基本ブロックと端部ブロック１ａ、１ｂの両側の縦溝５は、後述の冶具の挿入がし易いように、垂直面に対してわずかにテーパがついて逆ハの字形になっており、上面側が広くなっている（図３（ａ）参照）。
【００１９】
次に、図２（ａ）は上記ブロックに対するフェンス用支柱の支持構造に用いられる専用の冶具７の斜視図である。この治具７は左右に各１枚の羽根８を有しており、両側の羽根８の中間には一側を開放した断面Ｃ字形の筒状嵌合部１０が形成されている。また、嵌合部１０の開放部１１と反対側には開口部１２が形成されている。さらに、上記羽根８と嵌合部１０の上端には、板状のストッパ１３が上記羽根８とＴ字形をなすように設けられている。ストッパ１３を羽根８と一体に形成したことにより、羽根８自体の強度が高くなる。
【００２０】
また、図３（ａ）に示されるように、冶具７の両側の羽根８の幅は、基本ブロック１ａと端部ブロック１ｂの縦溝５のテーパに対応して、下部が狭く、上部が広くなるように形成されている。
【００２１】
さらに、治具７の上部には位置決め用の突起１４が形成されている。
【００２２】
次に、支柱１５は円筒状で、その直径は上記治具の嵌合部１０の内径と略同じに形成されている。また、支柱１５の表面には位置決め用の穴１６が形成されている。
【００２３】
次に、上記治具７を用いて基礎ブロック１ａに支柱１５を支持させる工程について説明する。
【００２４】
まず、従来と同様に基礎均しコンクリートを打設し、その上に基礎コンクリートを打設し、さらにその上に、基礎ブロック１ａ、端部ブロック１ｂを組み積み施工し、図５（ａ）に示したようなコンクリートブロック壁２０を造る。そして、図３（ａ）（ｂ）および図４（ａ）のように、基礎ブロック１ａの所定の一対の縦溝５に冶具７の羽根８の下部から嵌合し、ストッパ１３で基礎ブロック１ａの段差６の下段の上端面１７に当接させる。
【００２５】
このように、羽根８を基礎ブロック１ａの所望の縦溝５に嵌合させることで、冶具７は水平方向に対してはほぼ固定され、さらにストッパ１３を基礎ブロック１ａの下段上端面１７に当接させることで、冶具７は基礎ブロック１ａの所定の高さに容易に設置できるとともに、垂直方向および水平方向に対しても固定される。また、冶具７の両側の羽根８の幅は、縦溝５のテーパに対応して、下部が狭く、上部が広くなるように形成されているので、羽根８は縦溝５に容易に嵌合させることができる。
【００２６】
なお、図１（ｂ）に示す端部ブロック１ｂに治具７を固定させる場合も、同じ要領で行なえばよい。
【００２７】
次に、フェンス用支柱１５を冶具７の嵌合部１０に挿入し、フェンス用支柱１５を回して高さ位置決め用の穴１６を冶具７の突起１４に係合させてフェンス用支柱１５の所定位置に治具７を固定する。
【００２８】
これにより、治具７は基礎ブロック１ａに支持され、支柱１５は治具７に支持されることになる。したがって、この状態で支柱１５にフェンスパネルの取り付け作業を行なうことができる。また、支柱１５を所定の高さ位置に位置決めすることができる。
【００２９】
なお、冶具７及びフェンス用支柱１５の取り付けは、予めフェンス用支柱１５を冶具７の嵌合部１０に挿入した後に、上記方法で冶具７を基礎ブロック１ａ又は端部ブロック１ｂに取り付ける順序で行ってもよい。あるいは、フェンス用支柱１５と冶具７とを一体的に製作して上記方法で基礎ブロック１ａに取り付けてもよい。
【００３０】
以下同様にして、所定の位置に冶具７及びフェンス用支柱１５を取り付ける。端部ブロック１ｂに支柱１５を支持させる場合も同様にして支柱１５を支持させればよい。
【００３１】
フェンスパネル取付け後、基礎ブロック１ａと端部ブロック１ｂの空間部にモルタルを充填する。モルタルの一部は治具７の開放部１１と開口部１２から支柱１５の側面に直接に接触するので、モルタルが硬化することにより支柱１５は完全に固定される。最後にモルタルの天端均しをすると図５（ｃ）のようになり、パネルフェンスが完成する。
【００３２】
以上のように、上記フェンス用支柱の支持構造においては、支柱１５を支持するのに鉄筋等の支持部材やモルタルの充填、硬化を必要としない。したがって、モルタルの充填と関係なく支柱１５にフェンスパネルの取り付け作業を行なうことができるから、施工が容易で、工期の短縮を図ることができる。
【００３３】
発明者等の行なった試験施工では、８ｍ分のブロック組積みからフェンスの取付けまでの作業時間を、従来工法では３４０分かかったが、本発明を組み入れた工法で行なった場合は１８０分と約２分の１に短縮することができた。
【００３４】
また、基礎ブロック１ａと端部ブロック１ｂには、その長手方向に沿って複数の縦溝５が形成されているので、支柱１５は適宜の縦溝５を選択して支持させることができるので、上記冶具７および支柱１５の位置を容易に調整することができる。
【００３５】
冶具７を基礎ブロック１ａと端部ブロック１ｂに挿入する際、嵌合する羽根８の挿入幅と、縦溝５の底面に上述したようにテーパが設けられているため、嵌合作業を容易にを行うことができる。
【００３６】
冶具７を基礎ブロック１ａと端部ブロック１ｂに嵌合させて取り付け、さらにストッパ１３を基礎ブロック１ａと端部ブロック１ｂの段差６の下段上端面１７に当接させることで、フェンス用支柱１５を垂直に支持することができる。
【００３７】
なお、支柱の高さ位置を決めるための係合手段は、治具の突起と支柱の穴に限定されない。例えば、治具の穴と支柱の突起であってもよい。治具７所定位置に支柱を接着剤によって位置決め固定する構成であってもよい。
【００３８】
また、図３（ａ）（ｂ）および図４（ａ）（ｂ）には断面が円形のフェンス用支柱１５と冶具７を使用した場合について説明したが、フェンス用支柱として断面が方形のものを使用するときは、図２（ｂ）に示す矩形支柱用の冶具７ａを使用すればよい。その場合は、治具７の羽根８を、図４（ａ）（ｂ）と同様にして基本ブロック１ａ（および端部ブロック１ｂ）の縦溝５に嵌合し、下段上端面１７にストッパ１３を係合させ、さらに上記治具７に形成した函状の嵌合部１０に上述と同じ要領で角筒状の支柱（図示せず）を支持させればよい。
【００３９】
さらに、上記コンクリートブロック壁が上記実施形態のように複数段で構成の場合は、全段の基礎ブロック１ａ（端部ブロック１ｂ）にそれぞれ治具７を取り付けてもよく、またいずれかの段のブロックのみに治具７を取り付ける構成であってもよい。一般に多く使われている高さが１８００〜２０００ｍｍのメッシュフェンスでは、フェンス用支柱の埋め込み深さは約３００ｍｍとなる。そのため、高さ２００ｍｍのブロックでは、支柱の下端は上から２段目のブロックまで達するが、この場合の治具の長さは１５０ｍｍであり、１段目のブロックにだけ治具を取り付ける。
【図面の簡単な説明】
【００４０】
【図１】本発明のフェンス用支柱の支持構造に用いる専用ブロックの斜視図であり、    （ａ）は基本ブロック、（ｂ）は端部ブロック示す。
【図２】本発明のフェンス用支柱の支持構造に用いる冶具の斜視図であり、（ａ）は    、円形断面のフェンス用支柱に使用される冶具、（ｂ）は、矩形断面のフェンス用支    柱に使用される冶具を示す。
【図３】支柱の取付態様を示す説明図であり、（ａ）は分解状態、（ｂ）は取付状態    を示す。
【図４】本発明のフェンス用支柱の支持構造の組み立て要領を示す斜視図であり、（    ａ）は専用ブロックと冶具との組み立てを、（ｂ）はフェンス用支柱と冶具との組み    立てを示す。
【図５】従来のメッシュフェンスの施工工程を示す図であり、（ａ）はブロックの工    程、（ｂ）はフェンス用支柱立ての工程、（ｃ）は天端均しおよびフェンスパネル張    りの工程を示す。
【符号の説明】
【００４１】
１ａ  基本ブロック
１ｂ  端部ブロック
５    縦溝
７    治具
８    羽根
１０  嵌合部
１３  ストッパ
１５  支柱
２０  コンクリートブロック壁
【図１】
0004747020.tif 000002
【図２】
0004747020.tif 000003
【図３】
0004747020.tif 000004
【図４】
0004747020.tif 000005
【図５】
0004747020.tif 000006